(57)【要約】【課題】火災発生時において、避難方向を容易に視認でき、かつ正確に認識することができ、人々を安全に避難誘導することができる誘導装置の提供。【解決手段】誘導装置は、板状の巾木２と、巾木２に設けられるＬＥＤ３とを備え、ＬＥＤ３の点灯により避難方向を示す矢印４が表示される装置である。巾木２は、メタクリル樹脂またはポリエステル樹脂、水酸化アルミニウムなどの充填材および模様を形成するための模様形成材などを混合させて硬化させたものであり、外観が大理石状とされる。巾木２の裏面には、裏側へ開口するＬＥＤ取付穴５が複数形成される。複数のＬＥＤ取付穴５は、矢印４を描くように配置される。ＬＥＤ取付穴５には、ＬＥＤ３がその発光部８を表側へ向けて設けられる。巾木２の表面とＬＥＤ取付穴５の底面との間の厚さＸは、約８ｍｍとされる。【選択図】図３
2011113115.tif 000002
【特許請求の範囲】
【請求項１】
壁の下端部または通路に沿って設けられ、メタクリル樹脂もしくはポリエステル樹脂により表面が大理石状などの装飾面に仕上げられた板状に形成され、裏面に裏側へ開口する複数のＬＥＤ取付穴が誘導標識を描くように配置される巾木もしくは床板と、
前記ＬＥＤ取付穴に発光部を表側へ向けて設けられ、平常時には消灯しており、火災時に点灯するＬＥＤとを備え、
前記巾木もしくは前記床板の表面と前記ＬＥＤ取付穴の底面との間の厚さは、前記ＬＥＤを点灯したときその光を透過し得ると共に、前記ＬＥＤを消灯したときは、前記巾木もしくは前記床板の表面側から前記ＬＥＤが視認し得ない厚さとされる
ことを特徴とする誘導装置。
【請求項２】
壁の下端部または通路に沿って設けられ、メタクリル樹脂もしくはポリエステル樹脂により表面が大理石状などの装飾面に仕上げられた板状に形成され、裏面に裏側へ開口する凹部が形成される巾木もしくは床板と、
前記凹部に設けられ、表裏方向へ貫通する複数のＬＥＤ取付穴が誘導標識を描くように配置される板状の保持体と、
前記ＬＥＤ取付穴に発光部を表側へ向けて設けられ、平常時には消灯しており、火災時に点灯するＬＥＤとを備え、
前記巾木もしくは前記床板の表面と前記凹部の底面との間の厚さは、前記ＬＥＤを点灯したときその光を透過し得ると共に、前記ＬＥＤを消灯したときは、前記巾木もしくは前記床板の表面側から前記ＬＥＤが視認し得ない厚さとされる
ことを特徴とする誘導装置。
【請求項３】
壁の下端部または通路に沿って設けられ、メタクリル樹脂もしくはポリエステル樹脂により表面が大理石状などの装飾面に仕上げられた板状に形成され、裏面に裏側へ開口する有機ＥＬ取付穴が形成される巾木もしくは床板と、
前記有機ＥＬ取付穴に設けられ、誘導標識の形状を有するシート状に形成され、平常時には消灯しており、火災時に点灯する有機ＥＬとを備え、
前記巾木もしくは前記床板の表面と前記有機ＥＬ取付穴の底面との間の厚さは、前記有機ＥＬを点灯したときその光を透過し得ると共に、前記有機ＥＬを消灯したときは、前記巾木もしくは前記床板の表面側から前記有機ＥＬが視認し得ない厚さとされる
ことを特徴とする誘導装置。
【発明の詳細な説明】
【技術分野】
【０００１】
本発明は、火災発生時において、建物内の人を避難誘導する装置に関するものである。
【背景技術】
【０００２】
従来、避難方向を示す誘導灯として、下記特許文献１に開示される誘導灯が知られている。この誘導灯は、導光板（１）の端辺に設けられた光源（２，３）から導光板（１）内に入射させた光を、ピクトグラムが描かれた表示シート（１７）が設けられた導光板（１）の一面から出射させるものであり、天井面（２４）に取り付けられる。ここで、括弧書きの符号は、特許文献１中における符号である。
【先行技術文献】
【特許文献】
【０００３】
【特許文献１】特開平７−２０１２１５号公報
【発明の概要】
【発明が解決しようとする課題】
【０００４】
しかしながら、従来の誘導灯は、天井に取り付けられているため、火災時の煙を吸い込まないように姿勢を低くして避難している人にとっては、体を起こすか首を上げるかしないと、誘導灯のピクトグラムを視認することができない。また、従来の誘導灯は、誘導灯全体が光っている中で、導光板に描かれたピクトグラムにより避難方向を示しているため、火災時の煙の中ではぼやけてしまう。従って、誘導灯のピクトグラムの示す避難方向を正確に認識できないおそれがあった。また、従来の誘導灯は、天井に取り付けられているため、火災時の煙でピクトグラムが見えなくなってしまうおそれがあった。
【０００５】
また、従来の誘導灯は、廊下に露出して取り付けられるところ、廊下の見場を損なうためなどの理由から、消防法で定められた最低基準の設置数に留められていることが多く、このため人々を安全に避難誘導するには目的を十分に果たしていないおそれがある。
【０００６】
本発明が解決しようとする課題は、火災発生時において、避難方向を容易に視認でき、かつ正確に認識することができ、人々を安全に避難誘導することができる誘導装置を提供することにある。
【課題を解決するための手段】
【０００７】
本発明は、前記課題を解決するためになされたもので、請求項１に記載の発明は、壁の下端部または通路に沿って設けられ、メタクリル樹脂もしくはポリエステル樹脂により表面が大理石状などの装飾面に仕上げられた板状に形成され、裏面に裏側へ開口する複数のＬＥＤ取付穴が誘導標識を描くように配置される巾木もしくは床板と、前記ＬＥＤ取付穴に発光部を表側へ向けて設けられ、平常時には消灯しており、火災時に点灯するＬＥＤとを備え、前記巾木もしくは前記床板の表面と前記ＬＥＤ取付穴の底面との間の厚さは、前記ＬＥＤを点灯したときその光を透過し得ると共に、前記ＬＥＤを消灯したときは、前記巾木もしくは前記床板の表面側から前記ＬＥＤが視認し得ない厚さとされることを特徴とする誘導装置である。
【０００８】
請求項２に記載の発明は、壁の下端部または通路に沿って設けられ、メタクリル樹脂もしくはポリエステル樹脂により表面が大理石状などの装飾面に仕上げられた板状に形成され、裏面に裏側へ開口する凹部が形成される巾木もしくは床板と、前記凹部に設けられ、表裏方向へ貫通する複数のＬＥＤ取付穴が誘導標識を描くように配置される板状の保持体と、前記ＬＥＤ取付穴に発光部を表側へ向けて設けられ、平常時には消灯しており、火災時に点灯するＬＥＤとを備え、前記巾木もしくは前記床板の表面と前記凹部の底面との間の厚さは、前記ＬＥＤを点灯したときその光を透過し得ると共に、前記ＬＥＤを消灯したときは、前記巾木もしくは前記床板の表面側から前記ＬＥＤが視認し得ない厚さとされることを特徴とする誘導装置である。
【０００９】
さらに、請求項３に記載の発明は、壁の下端部または通路に沿って設けられ、メタクリル樹脂もしくはポリエステル樹脂により表面が大理石状などの装飾面に仕上げられた板状に形成され、裏面に裏側へ開口する有機ＥＬ取付穴が形成される巾木もしくは床板と、前記有機ＥＬ取付穴に設けられ、誘導標識の形状を有するシート状に形成され、平常時には消灯しており、火災時に点灯する有機ＥＬとを備え、前記巾木もしくは前記床板の表面と前記有機ＥＬ取付穴の底面との間の厚さは、前記有機ＥＬを点灯したときその光を透過し得ると共に、前記有機ＥＬを消灯したときは、前記巾木もしくは前記床板の表面側から前記有機ＥＬが視認し得ない厚さとされることを特徴とする誘導装置である。
【発明の効果】
【００１０】
本発明の誘導装置によれば、平常時にはインテリア性の高い装飾巾木もしくは床板として機能し、火災発生時にはＬＥＤまたは有機ＥＬに通電することで、平常時には全く見えなかった誘導標識が巾木もしくは床板に光と共に浮かび上がり、巾木もしくは床板に誘導標識を表示することができる。しかも、火災時には、巾木もしくは床板に誘導標識が描かれるので、煙の下に体を伏せた人から視認し易く、より確実に誘導できる。従って、建物内の美観を損なうことがなく、避難方向を容易に視認でき、かつ正確に認識することができ、人々を安全に避難誘導することができる。また、本発明の誘導装置によれば、誘導標識が左右方向を示す矢印とされ、左右どちらか一方へ向く矢印を表示するようにＬＥＤや有機ＥＬに通電することができる。従って、矢印の向きを火元から遠ざかる方向とすることができる。
【図面の簡単な説明】
【００１１】
【図１】本発明の誘導装置の実施例１の使用状態を示す概略図であり、ＬＥＤに通電した状態を示している。
【図２】図１おいてＬＥＤに通電していない状態を示す概略図である。
【図３】図１の誘導装置を示す図であり、（ａ）は正面視概略説明図、（ｂ）は一部を断面にして示す概略説明図である。
【図４】本発明の誘導装置の実施例２を示す図であり、（ａ）は正面視概略説明図、（ｂ）は一部を断面にして示す概略説明図である。
【図５】本発明の誘導装置の実施例３を示す図であり、（ａ）は正面視概略説明図、（ｂ）は一部を断面にして示す概略説明図である。
【図６】本発明の誘導装置の変形例を示す正面視概略説明図である。
【図７】本発明の誘導装置の別の変形例を示す概略説明図であり、ＬＥＤ取付穴で描かれる矢印を示している。
【図８】本発明の誘導装置のさらに別の変形例を示す図であり、（ａ）は左方向を示す矢印の概略図、（ｂ）は左右双方向を示す矢印の概略図である。
【図９】各実施例の誘導装置の別の使用状態を示す概略図であり、矢印が表示された状態を示している。
【発明を実施するための形態】
【００１２】
以下、本発明の具体的実施例を図面に基づいて詳細に説明する。
【実施例１】
【００１３】
図１および図２は、本発明の誘導装置の実施例１の使用状態を示す図であり、図１はＬＥＤに通電した状態を示す概略図、図２はＬＥＤに通電していない状態を示す概略図である。図３は、図１の誘導装置を示す図であり、（ａ）は正面視概略説明図、（ｂ）は一部を断面にして示す概略説明図である。本実施例の誘導装置は、壁１の下端部に沿って設けられる略矩形板状の巾木２と、巾木２に設けられるＬＥＤ（発光ダイオード）３とを備えており、ＬＥＤ３の点灯により避難方向を示す誘導標識４が表示される装置である。
【００１４】
巾木２は、メタクリル樹脂またはポリエステル樹脂、水酸化アルミニウムなどの充填材および模様を形成するための模様形成材などを混合させて硬化させたものである。これにより、巾木２は、外観が大理石状に形成される。本実施例では、このようにして、巾木２の表面が大理石状などの装飾面に形成されている。巾木２の裏面には、裏側へ開口する略円形状のＬＥＤ取付穴５が複数形成されている。ＬＥＤ取付穴５の底面と巾木２の表面との間の厚さＸは、ＬＥＤ３を点灯したときその光を透過し得ると共に、ＬＥＤ３を消灯したときは、巾木２の表面側からＬＥＤ３が視認し得ない厚さとされる。図示例では、厚さＸは、約８ｍｍとされている。厚さＸは、６〜１０ｍｍであるのが好ましい。厚さＸが６ｍｍより小さいと、光源が透けて見えるおそれがあり、１０ｍｍより大きいと、透光性が阻害される。なお、図示例では、巾木２の表側上部の角部は、傾斜面に形成されている。
【００１５】
複数のＬＥＤ取付穴５は、誘導標識４を描くように配置されている。図示例では、複数のＬＥＤ取付穴５は、左方向を示す矢印４を描くように配置されている。具体的には、複数のＬＥＤ取付穴５で描かれる矢印４は、くの字部６と、くの字部６の屈曲部から右方へ延出する水平部７とから構成されており、くの字部６および水平部７は、二重線状に配置されたＬＥＤ取付穴５で形成されている。このようにして描かれた矢印４は、巾木２に一または複数設けられる。図示例では、三つの矢印４が左右に等間隔に離隔して設けられている。
【００１６】
各ＬＥＤ取付穴５には、ＬＥＤ３がその発光部８を表側へ向けて設けられる。ＬＥＤ３は、制御器９により制御される。制御器９は、火災が発生したことを自動的に感知する火災感知器１０からの信号などに基づいて、ＬＥＤ３を制御するものである。
【００１７】
次に、本実施例の誘導装置の動作について説明する。誘導装置は、駅、オフィス、病院、ホテル、ショッピングモールなどに設置される。具体的には、建物内の壁１の下端部に沿って設けられる。図示例では、誘導装置は、一方の壁面にのみ設けられているが、両方の壁面に設けられてもよい。
【００１８】
平常時には、ＬＥＤ３に通電されておらず、ＬＥＤ３は消灯している。従って、図２に示すように、巾木２には矢印４が表示されない。この場合、巾木２の外観が大理石状に形成され、かつ、前述した厚さＸを有しているため、外部からＬＥＤ３が透けて見えることがない。
【００１９】
そして、火災が発生すると、ＬＥＤ３が点灯する。具体的には、制御器９は、火災が発生した場合に、ＬＥＤ３に通電させる。これにより、平常時には全く見えなかった矢印４が巾木２に光と共に浮かび上がり、図１に示すように、巾木２に矢印４が表示される。
【実施例２】
【００２０】
次に、本発明の誘導装置の実施例２について説明する。本実施例２の誘導装置も、基本的には前記実施例１と同様の構成である。そこで、以下では、両者の異なる点を中心に説明し、対応する箇所には同一の符号を付して説明する。
【００２１】
図４は、本発明の誘導装置の実施例２を示す図であり、（ａ）は正面視概略説明図、（ｂ）は一部を断面にして示す概略説明図である。前記実施例１では、ＬＥＤ３は、巾木２に直接取り付けられたが、本実施例では、ＬＥＤ３は、保持体１１を介して巾木２に取り付けられる。具体的には、本実施例の誘導装置は、壁１の下端部に沿って設けられる略矩形板状の巾木２と、巾木２に設けられる保持体１１と、保持体１１に設けられるＬＥＤ３とを備える。
【００２２】
巾木２は、メタクリル樹脂またはポリエステル樹脂、水酸化アルミニウムなどの充填材および模様を形成するための模様形成材などを混合させて硬化させたものである。これにより、巾木２は、外観が大理石状に形成される。本実施例では、このようにして、巾木２の表面が大理石状などの装飾面に形成されている。巾木２の裏面には、裏側へ開口する略矩形状の凹部１２が形成されている。凹部１２の底面と巾木２の表面との間の厚さＸは、ＬＥＤ３を点灯したときその光を透過し得ると共に、ＬＥＤ３を消灯したときは、巾木２の表面側からＬＥＤ３が視認し得ない厚さとされる。図示例では、厚さＸは、約８ｍｍとされているが、６〜１０ｍｍであるのが好ましい。なお、図示例では、巾木２の表側上部の角部は、傾斜面に形成されている。
【００２３】
保持体１１は、略矩形の板状とされ、凹部１２よりも外形が若干小さく形成されている。従って、保持体１１は、巾木２に形成された凹部１２に設けることができる。保持体１１には、表裏方向へ貫通するＬＥＤ取付穴５が複数形成されている。複数のＬＥＤ取付穴５は、誘導標識４を描くように配置されている。図示例では、複数のＬＥＤ取付穴５は、左方向を示す矢印４を描くように配置されている。具体的には、複数のＬＥＤ取付穴５で描かれる矢印４は、くの字部６と、くの字部６の屈曲部から右方へ延出する水平部７とから構成されており、くの字部６および水平部７は、二重線状に配置されたＬＥＤ取付穴５で形成されている。
【００２４】
各ＬＥＤ取付穴５には、ＬＥＤ３がその発光部８を表側へ向けて設けられる。ＬＥＤ３は、制御器９により制御される。制御器９は、火災が発生したことを自動的に感知する火災感知器１０からの信号などに基づいて、ＬＥＤ３を制御するものである。なお、制御に関しては、前記実施例１と同様のため、説明は省略する。
【実施例３】
【００２５】
次に、本発明の誘導装置の実施例３について説明する。図５は、本発明の誘導装置の実施例３を示す図であり、（ａ）は正面視概略説明図、（ｂ）は一部を断面にして示す概略説明図である。本実施例の誘導装置は、壁の下端部に沿って設けられる略矩形板状の巾木２と、巾木２に設けられるシート状の有機ＥＬ（エレクトロルミネッセンス）２２とを備えており、有機ＥＬ２２の発光により避難方向を示す誘導標識４が表示される装置である。
【００２６】
巾木２は、メタクリル樹脂またはポリエステル樹脂、水酸化アルミニウムなどの充填材および模様を形成するための模様形成材などを混合させて硬化させたものである。これにより、巾木２は、外観が大理石状に形成される。本実施例では、このようにして、巾木２の表面が大理石状などの装飾面に形成されている。
【００２７】
巾木２の裏面には、裏側へ開口する有機ＥＬ取付穴２３が形成されている。図示例では、有機ＥＬ取付穴２３は、左方向を示す矢印状に形成されている。有機ＥＬ取付穴２３は、巾木２に一または複数設けられる。たとえば、三つの有機ＥＬ取付穴２３が左右に等間隔に離隔して設けられる。
【００２８】
有機ＥＬ取付穴２３の底面と巾木２の表面との間の厚さＸは、有機ＥＬ２２を点灯したときその光を透過し得ると共に、有機ＥＬ２２を消灯したときは、巾木２の表面側から有機ＥＬ２２が視認し得ない厚さとされる。図示例では、厚さＸは、約４ｍｍとされている。厚さＸは、３〜５ｍｍであるのが好ましい。厚さＸが３ｍｍより小さいと、光源が透けて見えるおそれがあり、５ｍｍより大きいと、透光性が阻害される。なお、図示例では、巾木２の表側上部の角部は、傾斜面に形成されている。
【００２９】
有機ＥＬ２２は、誘導標識４の形状に形成されている。図示例では、有機ＥＬ２２は、左方向を示す矢印４を示す形状とされ、有機ＥＬ取付穴２３よりも外形が若干小さく形成されている。従って、有機ＥＬ２２は、有機ＥＬ取付穴２３に設けられる。本実施例では、有機ＥＬ２２の厚さは、０．８〜１ｍｍとされる。なお、有機ＥＬ取付穴２３は、有機ＥＬ２２を設けることができればよく、その形状は特に限定されない。
【００３０】
有機ＥＬ２２は、制御器９により制御される。制御器９は、火災が発生したことを自動的に感知する火災感知器１０からの信号などに基づいて、有機ＥＬ２２を制御するものである。具体的には、平常時には、有機ＥＬ２２に通電されておらず、有機ＥＬ２２は発光していない。従って、巾木２には矢印が表示されない。この場合、巾木２の外観が大理石状に形成され、かつ、前述した厚さＸを有しているため、外部から有機ＥＬ２２が透けて見えることがない。
【００３１】
そして、火災が発生すると、有機ＥＬ２２が発光する。具体的には、制御器９は、火災が発生した場合に、有機ＥＬ２２に通電させる。これにより、平常時には全く見えなかった矢印が巾木２に光と共に浮かび上がり、巾木２に矢印が表示される。
【００３２】
図６は、本発明の誘導装置の変形例を示す正面視概略説明図である。前記実施例１では、巾木２に形成されるＬＥＤ取付穴５により描かれる矢印４は、左方向を示す矢印とされたが、本変形例では、左右双方向を示す矢印とされる。具体的には、複数のＬＥＤ取付穴５で描かれる矢印４は、くの字部１３と、くの字部１３と間隔を空けて配置される逆くの字部１４と、くの字部１３の屈曲部と逆くの字部１４の屈曲部との間を接続する水平部１５とから構成されており、くの字部１３、逆くの字部１４および水平部１５は、二重線状に配置されたＬＥＤ取付穴５で形成されている。そして、各ＬＥＤ取付穴５には、ＬＥＤ３がその発光部８を表側へ向けて設けられる。
【００３３】
本変形例の場合、火災が発生した場所に応じて、矢印４の向きを変更するように制御できる。たとえば、左右方向に並ぶ複数の部屋にそれぞれ設けられる火災感知器１０の内、右端の部屋の火災感知器１０が火災を感知した場合、制御器９は、左方向を示す矢印４を表示するように、ＬＥＤ３に通電させる。左端の部屋の火災感知器１０が火災を感知した場合、制御器９は、右方向を示す矢印４を表示するように、ＬＥＤ３に通電させる。また、中央の部屋の火災感知器１０が火災を感知した場合、制御器９は、中央の部屋の左側においては、左方向を示す矢印４を表示するように、ＬＥＤ３に通電させ、中央の部屋の右側においては、右方向を示す矢印４を表示するように、ＬＥＤ３に通電させる。
【００３４】
このようにして、本変形例では、火元から遠ざかる方向を示す矢印４を表示することができる。従って、火元から遠い位置にある出口へ避難するように、建物内の人を誘導することができるため、より安全に避難誘導することができる。
【００３５】
なお、前記実施例２においても、前記変形例と同様に、ＬＥＤ取付穴５により描かれる矢印４は、左右双方向を示す矢印としてもよい。そして、各ＬＥＤ取付穴５には、ＬＥＤ３がその発光部８を表側へ向けて設けられる。この場合も、前記変形例と同様に制御されて、矢印４の向きを変更することができる。また、前記実施例３において、有機ＥＬ２２は、左右双方向を示す矢印状としてもよい。この場合も、前記変形例と同様に制御されて、矢印の向きを変更することができる。
【００３６】
前記各実施例によれば、壁１の下端部に設けられる巾木２に矢印４が表示されるため、火災時の煙を吸い込まないように姿勢を低くして避難している人が、体を起こしたり首を上げたりすることなく、容易に矢印４を視認することができる。また、火災時に発生して上昇する煙によって、矢印４が見えなくなってしまうおそれがない。また、前記各実施例によれば、避難方向を示す矢印４自体が発光しているため、火災時の煙の中でも、矢印４の示す方向を正確に認識できる。また、前記各実施例の誘導装置は、避難口へ向かう通路の壁面に沿って設けることで、人々を安全に避難誘導することができる。
【００３７】
また、前記各実施例によれば、ＬＥＤ３の消灯時や有機ＥＬ２２が発光していない状態では、外部からＬＥＤ３や有機ＥＬ２２が透けて見えることがないため、巾木としか見えず、美観を損なうことがない。また、巾木２は外観が大理石状に形成されているため、高級感を持つインテリア性の高い装飾巾木となり、美観を向上させている。また、前記各実施例によれば、巾木２は、メタクリル樹脂を用いたものであるため、加工が容易である。また、巾木２，２同士を接続した際の継ぎ目１６が目立たない。
【００３８】
本発明の誘導装置は、前記各実施例の構成に限らず、適宜変更可能である。たとえば、前記実施例１や前記実施例２では、くの字部６および水平部７は、二重線状に配置されたＬＥＤ取付穴５で形成されたが、図７に示すように、一本の線状に配置されたＬＥＤ取付穴５で形成されてもよい。同様に、前記変形例においても、くの字部１３、逆くの字部１４および水平部１５は、一本の線状に配置されたＬＥＤ取付穴５で形成されてもよい。
【００３９】
また、矢印４の形状は、前記各実施例や前記変形例に示される形状に限らず、適宜に変更可能である。たとえば、図８（ａ）に示すように、左方向を示す矢印４は、左方へ行くに従って下方へ傾斜する傾斜部１７と、傾斜部１７の下端部から右方へ延出する水平部１８とから構成されてもよい。また、図８（ｂ）に示すように、左方へ行くに従って下方へ傾斜する左傾斜部１９と、右方へ行くに従って上方へ傾斜する右傾斜部２０と、左傾斜部１９の下端と右傾斜部２０の上端とを接続する水平部２１とから構成されてもよい。いずれの場合も、傾斜部１７，１９，２０や水平部１８，２１は、二重線状に配置されたＬＥＤ取付穴５で形成されてもよいし、一本の線状に配置されたＬＥＤ取付穴５で形成されてもよい。また、有機ＥＬ２２の場合には、図８に示す矢印状に有機ＥＬ２２が形成されている。
【００４０】
また、制御器９は、矢印４が避難方向へ順次表示されるように、ＬＥＤ３や有機ＥＬ２２に通電させてもよい。これにより、建物内の人をより確実に出口へ誘導することができる。
【００４１】
また、前記各実施例では、誘導装置は、壁１の下端部に設置されたが、たとえば図９に示すように、通路２４の幅方向略中央部に、通路２４に沿って設置される。この場合、誘導装置は、通路２４に沿って設けられる床板２５と、床板２５に設けられるＬＥＤ３や有機ＥＬ２２とを備えて構成される。なお、床板２５は、巾木２と同様の構成であり、床板２５へのＬＥＤ３や有機ＥＬ２２の取り付け、および制御に関しては前記各実施例と同様になされる。従って、通路２４に設置した場合でも、前記各実施例と同様の作用効果を奏する。
【００４２】
さらに、本発明の誘導装置は、避難誘導以外の目的でも使用することができる。たとえば、美術館や博物館などにおいて経路を示すものとして使用される場合、それらの施設において展示物の内容が期間によって異なるときには、その都度鑑賞経路を変更する必要があるが、巾木２や床板２５に表示される矢印の向きを変更できるように、左右双方向を示す矢印としておけば、経路の変更にも対応することができる。
【符号の説明】
【００４３】
２  巾木
３  ＬＥＤ
４  矢印（誘導標識）
５  ＬＥＤ取付穴
８  発光部
１１  保持体
１２  凹部
２２  有機ＥＬ
２３  有機ＥＬ取付穴
２５  床板
Ｘ  厚さ
【図１】
2011113115.tif 000003
【図２】
2011113115.tif 000004
【図３】
2011113115.tif 000005
【図４】
2011113115.tif 000006
【図５】
2011113115.tif 000007
【図６】
2011113115.tif 000008
【図７】
2011113115.tif 000009
【図８】
2011113115.tif 000010
【図９】
2011113115.tif 000011